Podtech/llm-jp-corpus-v4-ja_patent huggingface dataset:
(57)【要約】【課題】本発明は、風車の回転方向に対し逆方向の力を受ける風が、ブレードに当たらないようにして、風車の回転効率を向上し、発電効率の良い風力発電機を提供することを目的とするものである。【解決手段】エアガイドを使うことにより、ブレードに当たる風の方向を変えることによって、ブレードに効率よく風を当て風車の回転効率を上げ、結果発電効率を上げること、また垂直翼により常に風の方向にエアガイドが向くことを特徴とする風力発電装置である。【選択図】図１
2008255977.tif 000002
【特許請求の範囲】
【請求項１】
発電機のシャフトから放射状に取り付けられたアームに風を受けて回転力を得るブレードを固着することにより形成した風車と、風向を風車の回転方向に変化させるエアガイドと、同軸上に支持され、これらが発電機に固着されている風力発電装置。
【請求項２】
上記エアガイドに垂直翼を固着し、常に風上に向くようにしたことを特徴とする請求項１記載の風力発電装置。
【発明の詳細な説明】
【技術分野】
【０００１】  本発明は、エアガイドを有する風力発電装置に関するものである。
【背景技術】
【０００２】  最近地球温暖化で自然エネルギーの利用として風力発電も盛んにおこなわれている。従来の風力発電装置は図５に示すように、放射状に組まれたアーム６０の先端にそれぞれブレード５０が取り付けられ風車１０が構成される。該風車１は、発電機４０に直結されている。そして、ブレード５０はその断面が飛行機の翼の形状をしており、該ブレード５０に風を受けることにより風車１０が効率よく回転するように工夫されている。
【特許文献１】  特開２００７−２３９２３号公報
【発明の開示】
【発明が解決しようとする課題】
【０００３】  従来の風力発電装置は図５中破線矢印で示すように、図面左側から風が吹いているとすると図５の風車の上の部分のブレード５０は風を受け、風車は実線矢印で示すように右回転の力を受けるが、下の部分のブレード５０は風車１０の回転方向とは逆方向に風を受け風車は左回転の力を受けるので風車の回転効率が悪くなり、結果発電効率も悪くなる。【０００４】  本発明は、風車の回転方向に対し逆方向の力を受ける風が、ブレードに当たらないようにして、風車の回転効率を向上し、発電効率の良い風力発電機を提供することを目的とするものである。
【課題を解決するための手段】
【０００５】  請求項１は発電機のシャフトから放射状に取り付けられたアームに風を受けて回転力を得るブレードを固着することにより形成した風車と、風向を風車の回転方向に変化させるエアガイドと、同軸上に支持され、これらが発電機に固着されている風力発電装置である。請求項２は上記エアガイドに垂直翼を固着し、常に風上に向くようにしたことを特徴とする請求項１記載の風力発電装置である。
【発明の効果】
【０００６】  風力発電装置にエアガイド２を取り付けることにより、風車の回転方向に対し逆方向の力を受ける風が、ブレードに当たらないようにして、風車が効率よく回転し、結果発電効率を著しく向上させることができた。【０００７】  請求項１によれば、逆方向の風がブレード５に当たらないのでブレードの風を受ける面積を大きく設計でき、風車自体を小さく設計することができる。その結果、風力発電機装置の能力を落とすことなく小型化することができる。
【発明を実施するための最良の形態】
【０００８】  本発明による風力発電機の最良の形態について、図面により詳細に説明する。図１は本発明による風力発電装置の概略を示す斜視図である。同図において１は風車で、該風車１は、へ字状に曲折されたブレード５を発電機４のケーシングから放射状出たアーム６に固着されている。へ字状に曲折されたブレード５で風を受け、風車１を回転させるものである。【０００９】  図３は本発明による風力発電装置の概略を示す側面図である。発電機４の軸８は縦になっており、フレーム７に直接固着されている。故に軸８は固定されケーシングが回転するものである。実施例ではケーシングが回転するようにしているが、軸が回転するようにしても良い。エアガイド２は風車１を包囲するように発電機の軸に回動自在に取り付けられている。なお、本実施例では上下で軸支しているものを示しているが片持ちでもよい。【００１０】  図４はエアガイド２のみを示す平面図で、該エアガイド２の形状は逆Ｓ字型になっており、風上側のフロントブレード２１と風下側のリアブレード２２を連結棒２３で結合している。フロントブレード２１は風を風車のブレード５に導く働きをする。リアブレード２２はフロントブレード２１が風を受けエアガイド２が左回転しようとするのを抑える働きをする。なお、エアガイド２はフロントブレード２１とリアブレード２２と連結棒２３で結合したものを示したが、一体的に形成してもよい。また直線状に形成してもよいことは言うまでもない。【００１１】  ３は垂直翼で、該垂直翼３は上記のエアガイド２に交差して一体的に固着されている。エアガイド上段に取り付けた垂直翼３により常に風の方向にエアガイド２が向くことになる。エアガイド２は風をブレード５に導くものである。本実施形態では、風車１とエアガイド２は同軸上に軸支されているが、エアガイド軸受２４により、それぞれが独立して回転する。【００１２】  ７はフレームで、該フレーム７は風車と発電機とエアガイドと垂直翼等の装置を保護するものである。風車と発電機とエアガイドと垂直翼からなる風力発電装置をユニット化し、複数の上記ユニットが上下方向に積み重ねて連結するようにしてもよく、そのように複数段積み重ねれば発電量が大きくなることは言うまでもない。【００１３】  より効率のよい風力発電を行うため有効な手段として、エアガイド２の形状、素材、ブレード５の形状、素材を変えることによってより効率をより上げることもできる。ここで、エアガイド２として金属板、カーボンファイバーよりなる板、グラスファイバーよりなる板、合成樹脂よりなる板などが利用できる。【００１４】  本実施例フロントブレード２１の先端（風上側）をカギ状に曲折した形状にすると、風の抵抗がなくなり風きり音が出なくなる。また、形状はカギ状に特定するものではなく思想を同じくするものであれば、翼状等いずれにしても良い。
【図面の簡単な説明】
【００１５】
【図１】本発明による風力発電装置を示す斜視図である。
【図２】本発明による風力発電装置を示す平面図である。
【図３】本発明による風力発電装置を示す側面図である。
【図４】本発明による風力発電装置エアガイドのみを示す平図面である。
【図５】従来の風力発電装置を示す平面図。
【符号の説明】
【００１６】    １  風車
２  エアガイド
３  垂直翼
４  発電機
５  ブレード
６  アーム
７  フレーム
８  軸
２１  フロントブレード
２２  リアブレード
２３  連結棒
２４  エアガイド軸受
【図１】
2008255977.tif 000003
【図２】
2008255977.tif 000004
【図３】
2008255977.tif 000005
【図４】
2008255977.tif 000006
【図５】
2008255977.tif 000007
(57)【要約】【課題】  今までの床暖房等はコンクリートの中に直接埋め込む事により地震等の影響をうける。また木組床等の場合畜熱することが出来ない。【解決手段】  コンクリート、木組床等の下に２分割のレンガに配管等のスペースを作り  ある程度の余裕を持ったスペースに配管、発熱線等を挟み込み畜熱、畜冷する。【選択図】図１
2008255766.tif 000002
【特許請求の範囲】
【請求項１】
２分割の畜熱、畜冷用のレンガの間に配管、発熱線用のスペースのあることを特徴とする大きめのレンガ、及びコンクリート板
【請求項２】
廃材の瓦、レンガ、コンクリート等を再生させた２分割の間に配管等のスペースのある畜熱、畜冷用のレンガ、及びコンクリート板
【請求項３】
畜熱、畜冷用のレンガの成分の中に炭を練りこんで常温または、炭の特性、性質が変化しない温度で固めた畜熱、畜冷用のレンガ、及びコンクリート板
【発明の詳細な説明】
【技術分野】
【０００１】  本発明は、レンガに関するものであ  レンガの形状、大きさに工夫を加える事によって配管、発熱線等を無理なく埋設することができる畜熱、畜冷用レンガ
【背景技術】
【０００２】  特に文献の知識は、ないです。
【発明の開示】
【発明が解決しようとする課題】
【０００３】  今までの床暖房等はコンクリートの中に直接埋め込むことにより地震、亀裂の影響を受けたり木組床の畜熱、畜冷層が少ないということを課題とする。
【課題を解決するための手段】
【０００４】  この課題を解決するための請求項１の発明は２分割のレンガに配管や発熱線等を挟み込むことにより畜熱、畜冷の量をふやす。【０００５】  また、請求項２の発明は瓦、レンガ、コンクリート等の廃材を再利用して畜熱畜冷のレンガとして再生する。【０００６】  また、請求項３の発明はレンガの成分の中に炭を練りこんで  常温または、炭の成分が変化しない温度ないで固めて炭の持っている特性を利用した畜熱、畜冷のレンガをつくる。
【発明の効果】
【０００７】  本発明によって床下や壁等に十分に畜熱、畜冷のスペースができる。また配管等に余裕ができ地震、振動等でも無理がかからない。
【発明を実施するための最良の形態】
【０００８】  図１は、通常のレンガと違いかなり大きく厚みもあり作業性が良く  また配管、発熱線等の入る部分に余裕があり無理がかからない。【０００９】  図２は、建物の床下に施工した場合の断面図です。  床のコンクリート，中空押しだし成形板、木材の木組床等の下に２分割のレンガの間に配管等を挟み込んで畜熱、畜冷します。
【産業上の利用の可能性】
【００１０】  本発明に係るレンガは押し出し成形によって量産する事が可能であるため、産業上の利用可能性を有する。
【図面の簡単な説明】
【００１１】
【図１】  畜熱、畜冷用のレンガの断面図である。
【図２】  建物の床下に施工した場合の断面図である。
【符号の説明】
【００１２】    １    配管等のスペースのある畜熱、畜冷用のレンガ
２    配管、発熱線等のスペース
３    配管等の納まり
４    壁
５    コンクリート、中空押し出し成形板、木組床等
６    コンクリート等
【図１】
2008255766.tif 000003
【図２】
2008255766.tif 000004
(57)【要約】【課題】魚礁等に用いられる汎用性の高いブロックを提供することを目的とする。【解決手段】円環体に、一対の半月状に圧潰した円環体を嵌着した円環組立ブック。【選択図】図１
2008255759.tif 000002
【特許請求の範囲】
【請求項１】
円環体に、一対の半月状に圧潰した円環体を嵌着することを特徴とする円環組立ブロック。
【請求項２】
さらに一対の半月状円環体の間に円環体を嵌着した請求項１記載の円環組立ブロック。
【発明の詳細な説明】
【技術分野】
【０００１】  本発明は、防波堤、護岸の壁面および水底面あるいは水中部における生物棲息的魚礁、防舷材、係留具、スリットケーソン内の充填材、海底、河川の洗掘防止、水の減勢物体等に使用する円環組立ブロックおよびその円環組立ブロックを任意の形態に組合わせてなる円環組立ブロック体に関する。
【背景技術】
【０００２】  従来、消波機能を有する基材として消波ブロックがあり、その良好な嵌合性や安定性、高い強度、製造の容易性、施工の容易性等の種々の優れた特性によって、護岸、防波堤、消波堤、離岸堤、根固め前面等に広範囲に利用されている。
近年、大水深における直立構造の護岸や、岸壁等の水域構造物の形成に当たっては、直立状態に次々積み重ねて構築することのできる直立型の消波用ブロックや、コンクリート、古タイヤ等から製作された構築物が広く用いられており、近年色々な形式の消波ブロック等が開発されて利用されるようになっている。例えば古タイヤ等の円環体を縦横に組合せて、任意の形状としたことを特徴とする円環組立ブロック体が知られている（特許文献１参照）。【０００３】
【特許文献１】  特開平１０−１１４９３０号公報
【発明の開示】
【発明が解決しようとする課題】
【０００４】  しかしながら、例えば特許文献１のような、円環組立ブロック体は、その組合せの形態から、組合せ方法が制限され、任意の形態の組立ブロック体を形成することは不可能であった。
そこで本発明者は、どのような形態にも組立てられる汎用性の高いブロック体について種々研究を重ね、本発明を完成するに至った。
【発明の効果】
【０００５】  本発明の円環組立ブロックは、円環体の構造からどのような形態にも組立てることができる。従って本発明の円環組立ブロックを実際に設置する場所に搬送し、現場において設置場所に合った形態に円環組立ブロック体を構築することができる。
また前記のように設置現場迄円環組立ブロックの形で搬送できるのでトラック等で一度に多量の円環組立ブロックを容易に移送することができる。
【発明を実施するための最良の形態】
【０００６】  次に本発明を図面を説明しながら説明するが、本発明は、以下の説明のみに限定されるものではない。
以下円環体として古タイヤを用いた場合を例にとり説明する。【０００７】  図１は、本発明の円環組立ブロックの基本型となるものであって、円環状を呈した古タイヤ（以下単にタイヤと称することがある）１の中空部２にタイヤ３，４を半月状になるように圧潰した状態で対称形となる状態に嵌挿する。この際タイヤ１の中空部２に嵌挿されたタイヤ３，４は、前記中空部２に強固に嵌装されているので容易に脱落することはない。【０００８】  図２は、２個の円環状を呈したタイヤ５，６を互いの中空部２が連通するように着接させ、この２個の円環状を呈したタイヤ５，６の中空部２に一対の半月状のタイヤ３，４を対称形となる状態に嵌挿する。
図３は１本のタイヤ７の中空部２にタイヤ８を十字状になるように嵌挿した後タイヤ７の両サイドにある中空部９，１０に半月状のタイヤ３，４を嵌挿することによっても円環組立ブロックを形成することができる。この場合タイヤ７とタイヤ８が交差する部分をボトル、ナット等により固定してもよい。【０００９】  図４は、１本のタイヤ１１の中空部に２本のタイヤ１２，１３を嵌挿して十字状とした後、タイヤ１１の両サイドに形成された中空部に半月状のタイヤ１４，１５を嵌挿することによっても円環組立ブロックを形成することができる。
さらに図５に示すように、２本のタイヤ１６，１７をそれぞれの中空部が連通するように着接させ、この２本のタイヤの中空部に十字状になるようにタイヤ１８を嵌挿する。次いでタイヤ１６，１７の両サイドに形成された中空部に半月状のタイヤ１９，２０を嵌挿することによっても本発明の円環組立ブロックを形成することができる。
また上記図１から図５に示した組合せ以外にも種々の組合せが可能である。【００１０】  図６は本発明の円環組立ブロックをチェーン等の連結具を用いて連結した状態を示した図である。すなわち各円環組立ブロック２１の半月状のタイヤを互に接するように整列させ、それぞれ隣接する半月状のタイヤにチェーン２２を通してシャックル２３で結束することによって多目的用の円環組立ブロック構造体２４とすることができる。【００１１】  図７は、円環組立ブロック構造体２４の上下に係留具２５，２６を設け、係留具２５を重錘２７に係止し、係留具２６をフロート２８に係止すると共に円環組立ブロック構造体２４に任意の数の球状フロート２９等を設けて水中に設置することによって中間魚礁として利用することができる。
図８は、円環組立ブロック構造体２４を２個シャックル２３とチェーン３０により、係留具２５に連結し、重錘２７に係止し、他端も同様にして係留具２６に連結し、該係留具２６の他端をフロート２８に係止することによって中間漁礁としたものである。【００１２】  図９は、図２に示した円環組立ブロックを半月状のタイヤをそれぞれ隣接するように並べ、それぞれ隣接する半月状のタイヤ同志をチェーン２２とシャックルで結束する。そして両端部をチェーン３０等で重錘２７に固定して水底に設けることによって底床漁礁として用いることができる。
【図面の簡単な説明】
【００１３】
【図１】本発明の円環組立ブロックの状態図
【図２】本発明の円環組立ブロックの状態図
【図３】本発明の円環組立ブロックの状態図
【図４】本発明の円環組立ブロックの状態図
【図５】本発明の円環組立ブロックの状態図
【図６】円環組立ブロックの連結して構成された円環組立ブロック構造体の正面図
【図７】円環組立ブロック構造体を用いた漁礁の状態図
【図８】円環組立ブロック構造体を用いた漁礁の状態図
【図９】円環組立ブロック構造体によって構成した底床漁礁の正面図
【符号の説明】
【００１４】１・・・古タイヤ（円環体）
２・・・中空部
３・・・半月状のタイヤ（円環体）
４・・・半月状のタイヤ
２２・・・チェーン
２３・・・シャックル
２４・・・円環組立体ブロック構造体
【図１】
2008255759.tif 000003
【図２】
2008255759.tif 000004
【図３】
2008255759.tif 000005
【図４】
2008255759.tif 000006
【図５】
2008255759.tif 000007
【図６】
2008255759.tif 000008
【図７】
2008255759.tif 000009
【図８】
2008255759.tif 000010
【図９】
2008255759.tif 000011
(57)【要約】【課題】  キッチン下や、薄暗い倉庫や、物置小屋等の開き戸棚の中は暗くて、品物の出し入れや整頓には手間取る、この暗がりを解消するた照明具である。【解決手段】スイツチを押し続けると消灯し、離し続けると点灯する、スイチは余裕ある道程を有し、戸棚の内部上端で扉を閉めた時、扉端が程よくスイッチ面を押圧する位置に、スイツチ面を突設させ、扉の開閉でスイツチを動作させ、扉を開いた時はスイツチは飛び出し、電気回路を構成し点灯して作業容易にし、扉を閉めたときは消灯させる照明具である。【選択図】図１
2008181842.tif 000002
【特許請求の範囲】
【請求項１】
開き戸付台所キッチン下、その他明るさに難点がある戸棚の中は暗い、扉を開くと同時に点灯、戸棚内部を明るくし、扉を閉めたとき消灯する、押すと点灯、離すと消灯する通常の押しボタンと反対の働きをする、スイッチ（１）を使用して開き扉の開閉を利用して、閉まった時、扉の裏側端がスイッチ（１）の上面の緩衝部を押圧電気回路を解放させ消灯、扉を開いたときスイッチ（１）の付勢力により回復もとに戻り電気回路を構成点灯させる照明具である。
【発明の詳細な説明】
【技術分野】
【０００１】本発明は開き戸付台所用キッチン下の戸棚、階段下の倉庫、倉庫に使用している戸棚等々、内部は暗いので、此等の内部の照明を扉の開閉によって照明を付けたり、消したりする照明具に関するものである。
【背景技術】
【０００２】従来は、戸棚を開いても照明設備が無いため、収納する物品のの整理整頓が必要であり、電気配線するには相当の費用必要であつた。
【発明が解決しようとする課題】
【０００３】本発明は、開き戸付扉をあけたとき、自動的に電気が点灯明るくなり、収容の多くの品物が見易く、整理整頓に役立ち、扉を閉めたとき消灯する照明具の提供に関するものである。
【課題を解決する手段】
【０００４】本発明は、押されると断になり、離すと接続する反対になるようスプリングにより出入りするスイッチ（１）を設け、扉がが閉じているときは、扉がスイッチ（１）を押した状態になり扉が開いた時は、スイッチ（１）は扉が離れスプリングの付勢により飛び出し、スイッチ軸に設けられた接触片（２）で構成され点灯する照明具である。
【０００５】本発明は、上下に開閉する収納箱（６）内に乾電池ケース（５）を設けて、収納箱（６）横面にスイッチ（１）が出入りする余裕を残して露出させて取り付ける。
反対側に電球座（３）を接着固定する。
スイッチ（１）に出入りに余裕を残した位置面に、取り付部（９）で固定する。
【０００６】なお、スイッチ（１）上面には緩衝部（７）として、フェルト又はスポンジ等を張りつける。
【発明の効果】
【０００７】開き戸付戸棚の内部は、平均して暗くて整頓も儘ならず、探しごとにも手間取る、扉をを開いた時即点灯明るくなり、物の出入れも速やかに出来ると共に扉を閉めると消灯する効果がある。
【図面の簡単な説明】
【０００８】
【図１】  は本発明の平面図
【図２】  は本発明の部分欠載図
【図３】  本発明のスイッチ開閉を示す説明
【図４】  は本発明の配線図
【符号の説明】
【０００９】  １  スイッチ
２  接触片
３  電球座
４  電球
５  乾電池
６  収納箱
７  緩衝部
８  乾電池ケース
９  取り付部
１０  ケース蓋
１２  配線
【図１】
2008181842.tif 000003
【図２】
2008181842.tif 000004
【図３】
2008181842.tif 000005
【図４】
2008181842.tif 000006
(57)【要約】【課題】  ＣＭや定額料金を徴収する事により、無料でテレビを配布する事。【解決手段】  定額料金を低費にする事により、消費者の負担を軽減していく。【特許請求の範囲】
【請求項１】
テレビを無料で配布するが、その代わりに定額料金を徴収する。
【請求項２】
定額料金にする事により、メーカーや販売店が一定の料金を徴収でき、消費者は無料でテレビを購入出来る。
【請求項３】
ＩＤカードなどを配布し、定額料金を払わない者には、テレビを見る事が出来ない様にする。
【請求項４】
ＣＭからもメーカーは料金を徴収出来る様にし、パソコン用ワイヤレスキーボードなどを使い、インターネットなどを出来る様にし、他社との差別化を計る。
【請求項５】
製品によって、定額料金を多少変えられるようにする。
【発明の詳細な説明】
【技術分野】
【０００１】本発明はＣＭと定額料金から料金を徴収する事により、無料でテレビを配布出来る物である。
【背景技術】
【０００２】今現在、ＣＭと定額料金から料金を徴収し、無料でテレビを配布している所がない。
【解決しようとする課題】
【０００３】ＣＭと定額料金から料金を徴収する事により、テレビを無料で配布でき、消費者は無料で、テレビを購入出来る様にする。
【課題を解決するための手段】
【０００４】無料でテレビを配布できる様にする為に、ＣＭや定額料金から料金を徴収する様にし、消費者の負担も軽減していく。
【図面の簡単な説明】
【０００５】
【図１】    全体図
【符号の説明】
【０００６】    １  ＩＤカード挿入口
２  ＣＭ定額料金制無料テレビ
【図１】
2008181471.tif 000002
(57)【要約】      （修正有）【課題】店舗内の商品案内を、店舗経営者の負担外で実施でき、広告効果の高い案内表示システムを提供する。【解決手段】店舗内に商品を陳列して販売をする者やブランド所有者、又はそれらの者から広告の作成を依頼された者が広告付き店舗案内表示のソフトを作成し、それを内蔵したコンピューターを店舗内に設置する。客である購入者がコンピューターの画面を操作して購入物件を特定したときに、ピンポイントの広告効果を生ずる画面を表示させる。【選択図】図１
2008181060.tif 000002
【特許請求の範囲】
【請求項１】
店舗で種々の商品を販売する場合、店舗内の陳列情報に基づいて広告を付した商品案内表示システムソフトを作成してコンピューターに記憶させ、そのコンピューターは来店した客が入力できるように設置するが、そのコンピューターは店舗経営者以外の者で商品についての広告を必要とする者或いは陳列商品の広告を作成しようとする者が費用を拠出して設置することを特徴とし、来店した客が購買希望物を入力したときコンピューターは客のためにその購買希望物の陳列場所を表示すると同時に、コンピューターの設置者である広告主のために購買希望物又はそれに関連する商品についての広告を表示するように設計されたソフトウエアを有していることを特徴とする広告情報の供給と利用の方法。
【発明の詳細な説明】
【技術分野】
【０００１】  この発明は、店舗内のコンピューターによる商品案内に広告を付属させることに関する。
【背景技術】
【０００２】  コンピューターの発達により、入力した客の購入希望物件につき簡単に店舗案内を図面表示することができるようになったが、一方では販売競争の激化によって店舗経営者はコンピューターによる案内表示の費用捻出が困難な状況にあることが多い。
【発明の開示】
【発明が解決しようとする課題】
【０００３】  店舗内の商品案内を、店舗経営者の負担外で実施することが出来れば好都合である。【０００４】  店舗内に商品を陳列しているブランド所有者または販売者にとっては、店舗の案内システムに広告を付属させれば購買者の求める商品に合わせてその商品に関するピンポイントの広告を作成することが出来、その広告の効果を高いものとすることが出来る。
【課題を解決するための手段】
【０００５】  店舗内に陳列してある商品のブランド所有者や販売をする者、或いは広告の作成依頼を受けた者等が、店舗経営者から店舗内の商品陳列等に関する情報を受け、例えば図２に示すような広告付き商品案内表示ソフトを自己の費用で作成し、そのソフトを内蔵するコンピューターを店舗内に設置する。
この広告付き案内表示は、店舗の来客である購買者がコンピューター操作によって購入希望物件を入力し、購買目的物を検索表示させる構造となっている。
上記検索が終了したとき、コンピューターソフトはその商品の陳列場所を表示すると同時に、その商品に対する広告が表示されるように設計されている。
【発明の効果】
【０００６】  商品案内および広告を表示するソフトを内蔵するコンピューターは店舗内に陳列してある商品のブランド所有者等の広告主の負担で設置されるが、、広告主は商品を買いに来た客に対して購入目的物に合わせた適確なピンポイント広告情報を発信することができる。
一方、店舗経営者及び来店者は無償で商品案内を表示するコンピューター設置の利益を受ける。
【発明を実施するための最良の形態】
【０００７】  広告については、その商品の陳列場所をより正確に表示することによって利便性を増し、その結果、客の購入意欲をより高めることが出来る。
【実施例】
【０００８】  店舗経営者は客のために設けている案内業務を廃止し、その代わりに広告業者に委託して商品案内表示ソフトを内蔵したコンピューターを多数店舗内に設置させることによって経営合理化を図ることができるが、店舗内には多数の商品が並んでおり、客のためには全商品の案内表示を作成する必要があるので、現実には広告業者が各販売業者の広告注文を取ってコンピューターソフトを作成し実施することとなる。、
【図面の簡単な説明】
【０００９】
【図１】  本発明における実施形態の構成を示す図である。
【図２】  同実施形態における広告付きコンピューター案内表示の画面の構成を説明するための図である。
【図１】
2008181060.tif 000003
【図２】
2008181060.tif 000004
(57)【要約】      （修正有）【課題】メイン基板とこれに実装されるサブ基板を有する電源装置において、その電気的接続信頼性の向上を図る。【解決手段】メイン基板５と、このメイン基板５に略垂直に実装されるサブ基板６とを備え、サブ基板６には略直線上に配置された複数の端子７を設け、メイン基板５には複数の端子７に挿入される複数の孔８を設け、複数の孔８は非直線状に配置した電源装置とした。【選択図】図２
2008181997.tif 000002
【特許請求の範囲】
【請求項１】
メイン基板と、
このメイン基板に略垂直に実装されるサブ基板とを備え、
前記サブ基板には略直線上に配置された複数の端子を設け、
前記メイン基板には前記複数の端子に挿入される複数の孔を設け、
前記複数の孔は非直線状に配置した
電源装置。
【請求項２】
請求項１に記載の電源装置を備えた電子機器。
【発明の詳細な説明】
【技術分野】
【０００１】
本発明は、ディスプレイ装置等に用いられる電源装置とこれを用いた電子機器に関するものである。
【背景技術】
【０００２】
従来この種の電源装置は、図５に示すごとく、メイン基板１と、このメイン基板１に略垂直に実装されるサブ基板２とを備え、このサブ基板２には、図６に示すごとく略直線上に配置された複数の端子３を設け、メイン基板１にはこの複数の端子３に挿入される複数の孔４を略直線状に設けて構成されていた。
【０００３】
なお、この出願に関する先行技術文献情報としては、例えば、特許文献１が知られている。
【特許文献１】特開２００５−１２３２３９号公報
【発明の開示】
【発明が解決しようとする課題】
【０００４】
このような従来の電源装置は、メイン基板１とサブ基板２との電気的接続信頼性の低さが問題となっていた。
【０００５】
すなわち、上記従来の構成においては、サブ基板２が、その複数の端子３が形成する直線と垂直方向に、何らかの応力が加わることにより倒れ、複数の孔４と複数の端子３との接触状態が不十分となる可能性が有り、その結果として、メイン基板１とサブ基板２との電気的信頼性の低さが問題となっていた。
【０００６】
そこで本発明は、メイン基板とこれに実装されるサブ基板とを有する電源装置において、その電気的接続信頼性の向上を図ることを目的とする。
【課題を解決するための手段】
【０００７】
そして、この目的を達成するために本発明は、サブ基板には略直線上に配置された複数の端子を設け、メイン基板には前記複数の端子に挿入される複数の孔を設け、前記複数の孔は非直線状に配置する構成としたものである。
【発明の効果】
【０００８】
この構成により、本発明の電源装置では、サブ基板が有する複数の端子が、メイン基板に非直線状に配置された孔と孔との間を挟み込むため、サブ基板が倒れてしまう可能性を低減させることができ、その結果として、電気的接続信頼性を向上させることができる。
【発明を実施するための最良の形態】
【０００９】
（実施の形態１）
以下、本発明の実施の形態１における電源装置について図面を参照しながら説明する。
【００１０】
図１において、メイン基板５には、このメイン基板５に略垂直にサブ基板６を実装している。
【００１１】
そして、図２に示すごとく、サブ基板６には複数の端子７を略直線上に配置して設け、メイン基板５には複数の端子７に挿入される複数の孔８を設けている。
【００１２】
ここで、この複数の孔８は非直線状に配置している。具体的には、複数の孔８の内、少なくとも１つの孔８Ａを、その他の複数の孔８が形成する直線９上ではない位置に配置する。
【００１３】
このような構成により、サブ基板６が有する複数の端子７の内の端子７Ａと、端子７Ｂ、７Ｃとが、メイン基板５における直線９上ではない位置に配置された孔８Ａと、その他の孔８Ｂ、８Ｃとの間５Ａ、５Ｂを挟み込むため、サブ基板６が倒れてしまう可能性を低減させることができ、その結果として、電気的接続信頼性を向上させることができるのである。
【００１４】
さらに、直線９上ではない位置に配置される孔を二つ以上設ける場合には、図３に示すごとく、孔８Ａ、８Ｄのそれぞれを、直線９を挟んで逆側に配置する構成とすることが望ましい。
【００１５】
即ち、図４に示すごとく、複数の孔８と複数の端子７との径が大きく異なる場合には、孔８Ｄの中心を通る直線１０と、孔８Ｂ、８Ｃ、８Ｅ、８Ｆの中心を通る９との距離Ａを確保していたとしても、実際には、端子７Ｄは直線９側へ、端子７Ｂ、７Ｃ、７Ｅ、７Ｆは直線１０側へ寄ってしまうため、端子７Ｄと、端子７Ｅ、７Ｆとが、孔８Ｄと、その他の孔８Ｅ、８Ｆとの間を挟み込み、サブ基板６の倒れ防止に寄与する距離は距離Ａ１でしかないわけである。従って、直線９上ではない位置に配置される孔８Ａ、８Ｄそれぞれを、直線９を挟んで逆側に配置する構成とすることにより、例え、端子７Ｄが直線９側へ、端子７Ｂ、７Ｃ、７Ｅ、７Ｆが直線１０側へ寄ってしまったとしても、端子７Ｂ、７Ｃ、７Ｅ、７Ｆと、端子７Ａとの距離Ｂが確保されるため、サブ基板６が倒れてしまう可能性を低減させることができ、その結果として、よりメイン基板５とサブ基板６との電気的接続信頼性を向上させることができ望ましい。
【００１６】
これに加え、サブ基板６が倒れないことの付随的効果としては、このサブ基板６が他の部品（図示せず）や他のサブ基板（図示せず）と接触してしまう可能性を低減させることができるといった効果を挙げることができる。
【産業上の利用可能性】
【００１７】
本発明の電源装置は、メイン基板とサブ基板との電気的接続信頼性を向上させることができるという効果を有し、各種電気機器において有用である。
【図面の簡単な説明】
【００１８】
【図１】本発明の実施の形態１における電源装置の斜視図
【図２】本発明の実施の形態１における電源装置の一部を示す斜視図
【図３】本発明の実施の形態１における電源装置の他の実施例を示す斜視図
【図４】本発明の実施の形態１における電源装置の他の実施例を示す下面図
【図５】従来の電源装置の斜視図
【図６】従来の電源装置の一部を示す斜視図
【符号の説明】
【００１９】
５  メイン基板
６  サブ基板
７  複数の端子
８  複数の孔
【図１】
2008181997.tif 000003
【図２】
2008181997.tif 000004
【図３】
2008181997.tif 000005
【図４】
2008181997.tif 000006
【図５】
2008181997.tif 000007
【図６】
2008181997.tif 000008
(57)【要約】      （修正有）【課題】従来同軸ケーブルのコネクタを自由に壁や天井に取り付けることが出来なかった。そこで同軸ケーブルのコネクターにフランジを設け、同軸ケーブルのコネクターを壁や天井に自由に取り付けられるようにしたフランジ付きＬ型コネクタを提供する。【解決手段】同軸ケーブルのコネクター１にフランジ２を設けた。これにより、フランジ２を利用することによって、同軸ケーブルのコネクター１を壁や天井に自由に取り付けられるようにした。【選択図】図１
2008181775.tif 000002
【特許請求の範囲】
【請求項１】
同軸ケーブルのコネクターにフランジを設け天井や壁に取り付け可能にするコネクタ。
【発明の詳細な説明】
【技術分野】
【０００１】
本発明は、コネクターにフランジを設けアンテナの取り付け場所の選択範囲を拡大する事に関するものである。
【背景技術】
【０００２】
一般的に同軸ケーブル用コネクターはモービルやベランダ屋根等にアンテナを取り付ける時にアンテナと同軸ケーブルの接続に使用する。また同軸同士の接続にも使用する。  
壁や天井に直に取り付けるコネクターは無かった。
【０００３】
しかし、この改善策としてＬ型コネクターにフランジを設けることで天井や壁に直接
アンテナを設置できるようにしました。
【特許文献１】特許公開２００５−１７４８８６号公報
【発明の開示】
【発明が解決しようとする課題】
【０００４】
解決しようとする問題点は、今までアンテナはモービルやベランダ・屋根に取り付けるという固定観念である。
【０００５】
また、屋内にアンテナを設置する場合、ハンディータイプやモービル用アンテナを壁に立て掛けるなどの方法を選択しなければならなかった。
【課題を解決するための手段】
【０００６】
本発明は、モービル用のアンテナでも屋内の壁や天井に直接設置出来る事が可能になる物である。
【発明の効果】
【０００７】
本発明のフランジ付きコネクターは、今まで屋外に設置する事が当たり前のアンテナを屋内に設置する事が可能で同軸ケーブルを壁貫通しなくて済む事にある。
【発明を実施するための最良の形態】
【０００８】
今までハンディータイプのアンテナで我慢していた、アパマン派の無線局にアンテナ選定の可能性を拡大するものである。
【実施例１】
【０００９】
図１は、本発明装置の１実施例の断面図である。
【産業上の利用可能性】
【００１０】
前にも述べた通り、本案はＬ型コネクターにフランジを設け、屋内の壁や天井に直接アンテナを設置出来る事が可能な物である。
【図面の簡単な説明】
【００１１】
【図１】フランジ付きＬ型コネクターの断面図（実施例１）
【図２】従来型のＬ型コネクタ
【符号の説明】
【００１２】
１    Ｌ型コネクター
２    フランジ
【図１】
2008181775.tif 000003
【図２】
2008181775.tif 000004
(57)【要約】【課題】      リアルタイムに投票者と立候補者をコミュニケートすること。【解決手段】  マトリックス方式の二次元コードが付いたタスキ等を使ってマトリックス方式の二次元コードの中に返信用Eメールアドレスを含め、Eメールを使い投票者と選挙候補者をコミュニケートさせる。【選択図】    図２
2008250367.tif 000002
【特許請求の範囲】
【請求項１】
マトリックス方式二次元コードをタスキ等につけE-メールにより投票者、選挙候補者等をリアルタイムでコミュニケート出来る事を特徴とするマトリックス方式二次元コード付タスキ等通信用具。
【発明の詳細な説明】
【技術分野】
【０００１】
本発明は選挙ポスター等通信用具に関する。
【背景技術】
【０００２】
道路標識。
【発明の開示】
【発明が解決しようとする課題】
【０００３】
リアルタイムに投票者と立候補者をコミュニケートできるタスキ等を使った通信用具
【課題を解決するための手段】
【０００４】
マトリックス方式の二次元コードをタスキにつけ、携帯電話などの端末でマトリックス方式の二次元コードに含まれる文章を読み取り、Eメールを使い支持者と選挙立候補者と直接コミュニケートさせる。
【発明の効果】
【０００５】
選挙立候補者はマトリックス方式の二次元コードがタスキにつけてあるため、リアルタイムに支持者の連絡先や希望する政策などがEメールなどを通じ記録が収集できる。これにより、選挙期間中にリアルタイムに支持者の意向がわかり、政策に反映出来る。
【発明の実施するための最良の形態】
【０００６】
マトリックス方式の二次元コードをタスキにつけ、携帯電話などの端末でマトリックス方式の二次元コードを読み取り、Eメールを使い支持者と選挙立候補者をコミュニケートさせる。
【実施例１】
【０００７】
そもそも政治家の仕事とは、国民の不満を解消するのが本来の目的ではないであろうか。リーダーにはヴィジョンが必要とメディアは言うが、そのヴィジョンが国民の意向に反していたら、そのイチ政治家の目的が壮大の有無は関わらず、果たしてそれで国民は幸せなのであろうか。政治はナマモノであり、生き物であり、絶えず息をし、変化をしていく。国民の意見をリアルタイムで選挙期間中に遊説の中で発表し、それを立候補者が回答していき、問題を解決していく。そして投票者の街に立候補者が行くとき、投票者の声が立候補者の声となり、本物の「生きた政治」になる。これをコンセプトとし、本発明実施例を以下図面に基づき説明する。
図１は従来のタスキ１で、選挙立候補者の名前２が書かれただけのものである。
図２は本発明実施例のタスキ３で、マトリックス方式の二次元コード４がタスキ３の上に、又は文字の中４’につけられている。立候補者はこのタスキ３を見た投票者から携帯電話やパソコンなどEメールや画像などを送れる端末からマトリックス方式の二次元コードを読み取り、政策などをマトリックス方式の二次元コードの中に含まれている文章（図３）のEメールアドレス５に送る。図４はそのコミュニケーションの構成図を示したもので、投票者６がEメールをEメールアドレス５に送り、メールサーバ６に蓄積される。これにより、立候補者は選挙期間中にリアルタイムで投票者６が考える政策や情勢がわかるだけでなく、立候補者はおおよその得票数を予想でき、また、今迄管理できなかった投票するであろう投票者６の連絡先を入手することが出来る。更に、立候補者はメールサーバ６に蓄積されたメールアドレスによりEメールを投票者６に返信することができ、立候補者は７の矢印のように選挙期間中に投票者６にEメールで連絡事項を伝えることも可能である。
本発明は上記のほか、タスキに複数のマトリックス方式の二次元コードが入っている場合や、タスキ以外に腕章や胸バッヂやチラシ、手袋（図５）にマトリックス方式の二次元コードを貼るなど、選挙や種々のものが考えられるが、これらは全て本発明に含まれるものである。
【産業上の利用可能性】
【０００８】
立候補者は選挙期間中にリアルタイムで支持者が考える政策や情勢がわかるだけでなく、得票数を予想でき、また、今迄管理できなかった投票する可能性のある投票者の連絡先を入手することが出きる。これにより、政党などのしがらみとは関係なしに、立候補者は自らのファンだけを集めた党を作ることが出きるし、選挙活動を有効化出来、政策にも反映できる。選挙のほか、サンドイッチマンなど商品のPR開発データ収集にも活用できる。
【図面の簡単な説明】
【０００９】
【図１】公知のタスキの正面図
【図２】本発明実施例タスキの正面図
【図３】マトリックス式二次元コードに含まれる文章
【図４】本発明コミュニケーションの構成図
【図５】本発明実施例手袋の正面図
【符号の説明】
【００１０】
1      従来のタスキ
2      選挙候補者の名前
3      本発明タスキ
4     マトリックス方式の二次元コード
4’   文字に入れたマトリックス方式の二次元コード
5       Eメールアドレス     
6      投票者
7      メールサーバーから投票者へEメールやデータの伝達
【図１】
2008250367.tif 000003
【図２】
2008250367.tif 000004
【図３】
2008250367.tif 000005
【図４】
2008250367.tif 000006
【図５】
2008250367.tif 000007
(57)【要約】【課題】鉱物を搭載した装置を使用して筐体を響かせる事によって、従来の楽器類・音響機器類に関する装置よりも、より優れた音質を提供しようとするもの。【解決手段】音の振動が伝わりやすい形状のパーツ、あるいはネジ状の金属類１を用意し、上部の平らな部分に、振動による力に充分耐え得る鉱物２の鋭角部分を下の方向に向けて、緩みなどによって雑音が発生しないようにしっかり留める。そして、その装置を楽器類や音響機器類の音や振動の通り道、もしくは音や振動が集約される場所に取り付ける。【選択図】図１
2008250275.tif 000002
【特許請求の範囲】
【請求項１】
楽器類、又はスピーカーなどの音響機器類の音の振動が伝達される金属部品に、振動に耐えうる硬度の鉱物を単数個から複数個取り付けることからなる、楽器類又は音響機器類の音質向上方法。
【請求項２】
楽器類、又はスピーカーなどの音響機器類の音の振動が伝達される金属部品に、振動に耐えうる硬度の鉱物を単数個から複数個配置してなる、楽器類又は音響機器類の音質向上装置。
【発明の詳細な説明】
【技術分野】
【０００１】    本発明は、楽器類や音響機器類の音や振動が伝達される場所、例えば、音や振動の通り道、もしくは音や振動が集約される場所に取り付けることによって筐体（例えば、共鳴箱）の響きや振動を助長し、共鳴させる事で倍音を広げる事を可能とし、音が聞こえやすいものとなると共に、音質を向上させる働きをするものである。
【背景技術】
【０００２】    今までに鉱物を搭載した音響機器は存在するが、それは振動を減衰しながら音の方向を支持することが出来る、というものであった。【０００３】
【特許文献１】    特開２０００−３２０６０８号公報
【発明の開示】
【発明が解決しようとする課題】
【０００４】    鉱物を搭載した装置を使用して筐体（例えば、共鳴箱）を響かせる事によって、従来の楽器類・音響機器類に関する装置よりも、より優れた音質を提供しようとするもの。
【課題を解決するための手段】
【０００５】    上記の目的を達成する為に、音の振動が伝わりやすい形状のパーツ、あるいはネジ状の金属類１を用意し、例えば、上部の平らな部分に、振動による力に充分耐え得る鉱物２の鋭角部分を下の方向に向けて、緩みなどによって雑音が発生しないようにしっかり留める。そして、その装置を楽器類や音響機器類の音や振動の通り道、もしくは音や振動が集約される場所に取り付ける。このようにして、本発明者は、楽器類又は音響機器類の音質向上方法及び装置を完成するに至った。
すなわち、本発明の一局面によれば、楽器類、又はスピーカーなどの音響機器類の音の振動が伝達される金属部品に、振動に耐えうる硬度の鉱物を単数個から複数個取り付けることからなる、楽器類又は音響機器類の音質向上方法が提供される。
また、本発明の他の局面によれば、楽器類、又はスピーカーなどの音響機器類の音の振動が伝達される金属部品に、振動に耐えうる硬度の鉱物を単数個から複数個配置してなる、楽器類又は音響機器類の音質向上装置が提供される。
【発明の効果】
【０００６】    音による振動が金属を通して鉱物に伝わる事で増大し、倍音が広がる為に音質向上効果が生まれる。これは、音の聞きやすさにも繋がる。
【発明を実施するための最良の形態】
【０００７】    本発明で使用する鉱物は、振動による大きな圧力に充分耐える事が可能で、尚且つ共鳴を最大限に発揮させる事が可能であれば特に限定されず、例えば、モース硬度８〜１０の鉱物が挙げられるが、そのうち、ダイヤモンドを使用するのが理想的である。
本発明において、楽器類としては、共鳴箱に弦などの音源を構成する振動部材が張られた楽器類、例えば、バイオリン等の擦弦楽器などが挙げられる。また、音響機器類としては、振動部材として振動板を備えたスピーカーユニットとそのエンクロージャーとからなるスピーカー（ラウドスピーカー）などが挙げられる。
本発明において、上記鉱物は、楽器類や音響機器類の音の振動が伝達される金属部品に、しっかりと取り付ければよい。取り付け方法は、通常の宝石の固定方法に準じて行うことができる。例えば、添付の図面に示すように、金属部品１の表面に鉱物の錘状の下部を収容する穴及び鉱物を固定する爪３を設け、この穴に、鉱物２を収容して爪３で固定する方法が挙げられる。
金属部品は、楽器類や音響機器類の音の振動が伝達される場所に配置されるものであれば特に限定されず、楽器類や音響機器類の既存の金属部品を利用してもよく、また、楽器類や音響機器類の音の振動が伝達される場所に追加的又は交換的に取り付けることができる金属部品であってもよい。金属部品は、ネジ状のパーツを備えていることが好ましく、この場合、ネジ状のパーツの頭部を石枠として利用し、そこに上記鉱物をしっかりと固定でき、また、本発明の装置の取り付け及び取り外しをネジ形式で容易に行えるので好都合である。
楽器類や音響機器類の音の振動が伝達される場所としては、通常、楽器類や音響機器類の一部分であれば、特に制限されるものではないが、音や振動の通り道、または、音や振動が集約される場所が好ましく、例えば、弦楽器では、弦などの振動部材に直接連結される金属部材が挙げられる。好ましい金属部品としては、例えば、弦楽器の場合は、アジャスターと呼ばれる弦の音程を調整するネジ状のパーツを備えた金属部品が挙げられる。
【実施例】
【０００８】    以下、添付図面を参照しつつ、擦弦楽器の場合を例に本発明の具体例を説明するが、本発明は、下記の具体例のみに限定されるものではない。
弦楽器などに使用されるアジャスターと呼ばれる音程を調整する金属製のネジ状のパーツ１の振動が最も集約される真ん中部分にダイヤモンドと同じ大きさの穴を開け、ダイヤモンド２の鋭角部分を下にして、しっかりと留めた。【０００９】    演奏者と楽器の向きと角度は極力そのままで、マイクを固定。演奏者には実験内容を知らせずに楽器を弾いてもらった。【００１０】    ダイヤモンド有りと無しのアジャスターを一度ずつ演奏してもらったものをデータ化。同じ事を４回繰り返し、アジャスターの違いによる楽器の音への影響を調べた。【００１１】    演奏者をそのままに、楽器を変えて、同等の影響が見られるかどうかも実験した。【００１２】    アジャスターの種類によって楽器の響き方の傾向が何度実験しても同じで、本発明は、筐体（共鳴箱）の響きや振動を助長し、共鳴させる事で倍音を広げる事を可能とし、音が聞こえやすいものとなると共に、音質を向上させる働きをする。という結果が得られた。
【図面の簡単な説明】
【００１３】
【図１】    本発明の断面図を拡大したものである。
【図２】    本発明の正面図を拡大したものである。
【符号の説明】
【００１４】１パーツ、もしくはネジ状の金属類
２振動による圧力に充分耐え得る鉱物
３鉱物を留める爪
【図１】
2008250275.tif 000003
【図２】
2008250275.tif 000004
(57)【要約】【課題】従来のエンジンは化石燃料を使用しているために、黒煙、炭化水素、窒素酸化物、一酸化炭素等の有害排気ガスが発生し大気汚染の一つの原因を引き起こしている、この有害排気ガスを取り除く事を目的とするものである。【解決の手段】エンジンの吸気行程でシリンダー内に、空気と水を噴射装置により注入し、圧縮行程でシリンダー内にスチームプラズマトーチによりスチームプラズマアークを噴射し水蒸気爆発を誘発させ、エンジンを駆動させる。【選択図】図１
2008169821.tif 000002
【特許請求の範囲】
【請求項１】
エンジンの吸気行程でシリンダー内に、空気と水を噴射装置により注入し、圧縮行程でシリンダー内にスチームプラズマトーチにより超高温のスチームプラズマアークを噴射し水蒸気爆発を誘発させエンジンを駆動させる。
【請求項２】
水蒸気爆発終了後の高温の水蒸気を冷却装置で冷却し、空気と水に戻し再利用する事で排気ガスの出ない密閉型エンジンを提供する。
【発明の詳細な説明】
【技術分野】
【０００１】本発明は、水蒸気爆発をスチームプラズマアークにより誘発させ駆動するエンジンに関する。
【背景技術】
【０００２】
【特許文献１】欧州特許出願公開０６４０４２６Ａ１号
【０００３】
【特許文献２】米国特許第５６０９７７７号
【０００４】上記２項目特許文献に従来のスチームプラズマトーチの一例が提案されている。
【発明の開示】
【発明が解決しようとする課題】
【０００５】従来のエンジンは化石燃料を使用しているために、黒煙、炭化水素、窒素酸化物、一酸化炭素等の有害排気ガスが発生し大気汚染の一つの原因を引き起こしている、
この有害排気ガスを取り除く事を目的とするものである。
【課題を解決するための手段】
【０００６】従来のエンジンに使用されている点火プラグに変わり、スチームプラズマアークが容易に取り出せるプラズマトーチを取り付ける。【０００７】本発明は、従来のエンジンに使用されている、燃料を気化させているラジエーターの変わりに、空気と水の噴射装置を取り付ける。【０００８】エンジンの駆動行程は従来のエンジンと同様で、吸入行程で空気と水を吸入し、圧縮行程でシリンダー内にプラズマトーチより超高温のスチームプラズマアークを噴射し、
水の水蒸気爆発を誘発させピストンを駆動させる。【０００９】排気行程に於いて水蒸気爆発後の高温の水蒸気を排出し、冷却装置により水と空気に戻し再利用する。
【発明の効果】
【００１０】上記の手段を取ることで従来のエンジンにより排気ガスの中に発生していた有害大気汚染物質すべてが無くなり、また排気ガス規制の必要もなく大気汚染が解消され地球温暖化の緩和をはかる事が出来る。【００１１】有害大気汚染物質が発生しないために、それらを取り除くための装置が不要になり安価なエンジンを作ることが出来る【００１２】従来のエンジンの燃料噴射装置と点火装置を取り替え、その他の装置はそのまま使用可能で化石燃料を水に切り替える事で、安価な維持費で駆動する事が出来る。【００１３】排出された空気と水を再利用する事で密閉型エンジンの提供が容易に出来る。
【実施例】
【産業上の利用可能性】
【００１４】将来的に本発明エンジンは従来のエンジンよりも構造的に簡素化され安価な物が製作でき、現在の化石燃料を使用するすべてのエンジンを水に切り替えることで、
安全で安価な維持費と地球汚染を起こさないエンジンが開発出来る。
【図面の簡単な説明】
【００１５】
【図１】  本発明の水と空気の流れの概略図
【符号の説明】
【００１５】  １    ピストン
２    シリンダー
３    吸気口バルブ
４    排気口バルブ
５    空気吸気口
６    水蒸気排気パイプ
７    水還元パイプ
８    水噴射ノズル
９    水蒸気冷却装置
１０  水タンク
１１  スチームプラズマトーチ
【図１】
2008169821.tif 000003
【手続補正書】
【提出日】平成19年3月12日(2007.3.12)
【手続補正１】
【補正対象書類名】明細書
【補正対象項目名】０００７
【補正方法】変更
【補正の内容】
【０００７】    本発明は、従来のエンジンに使用されている化石燃料を気化させている装置の変わりに、水の噴射装置を取り付ける。
(57)【要約】【課題】本発明は、内燃機関の外部放出熱の一部を回収して利用することにより内燃機関の燃料である化石燃料（ガス、石油等）消費量を低減し、燃焼によって排出される二酸化炭素（ＣＯ２）等の排出ガスの大気放出量を軽減せしめ、地球温暖化防止のための内燃機関廃熱回収システムを提供しようとするものである【解決手段】内燃機関の外部放出熱エネルギーより変換された機械エネルギーを機関の動力軸に供給する。【選択図】図１
2008169823.tif 000002
【特許請求の範囲】
【請求項１】
内燃機関の外部放出熱の一部を回収し、熱エネルギーを機械エネルギーに変換し、機関本体の動力軸に供給することを特徴とする内燃機関の廃熱回収システム。
【発明の詳細な説明】
【発明の詳細な説明】
【技術分野】
【０００１】本発明は、内燃機関の廃熱利用に関する。
【背景技術】
【０００２】排気ガス熱の利用に依る発電機が知られている。
【発明が解決しようとする課題】
【０００３】内燃機関の燃料である化石燃料（ガス、石油等）を使用することによって発生する二酸化炭素（ＣＯ２）の大気放出量を低減し、地球温暖化促進の軽減。
【課題を解決するための手段】
【０００４】本発明は、内燃機関外部に放出される熱量（一般的には供給熱量の５０％以上）の一部を回収し、熱エネルギーを機械エネルギーに変換せしめ、機関本体の動力軸に供給し、機関の燃料消費量の低減を計ることに依って、二酸化炭素（ＣＯ２）の大気への放出を軽減する。
【実施例】
【０００５】この発明は、内燃機関の外部放出熱エネルギーを機械エネルギーに変換し、得られた動力を機関の動力軸に供給せしめるものであって、その構成を図示の実施例について説明すれば、被加熱流体▲８▼は、一次熱交換機Ａにより機関冷却液で一次加熱された後、二次熱変換器Ｂに至り、機関の排気ガス熱にて二次加熱され蓄圧器Ｃを通り、タービンＤに放射し、回転させ、熱エネルギーを機械エネルギーに変換せしめる。タービンＤを通過した被加熱流体は、冷却器Ｍにて冷却凝縮させ、循環ポンプＫに吸収・吐出される。吐出された被加熱流体▲８▼は、循環管▲６▼を通り、一次加熱変換器Ａに圧送される。
また、タービンＤに取り出された動力（回転力）は、変速機Ｅにより変速され、動力嵌脱装置Ｆを介し、動力伝達装置Ｇにより、機関動力軸Ｈに伝達される。
なお、図中▲１▼は機関冷却液入口、▲２▼機関冷却液出口、▲３▼は機関排気ガス入口、▲４▼は機関排気ガス出口、▲５▼は加熱管、▲７▼はバイパス管、Ｉは膨張槽、Ｊは軸受、Ｌは流量制御弁を示し、▲８▼は被加熱流体の流れを示す。
【発明の効果】
【０００６】本発明に係る内燃機関の廃熱回収システムは、回収エネルギーを直接機関に供給することにより従来の廃熱利用装置に比べ熱回収効果に優れている。
【図面の簡単な説明】図面は、この発明の一実施例を示したもので、システム全体のフローシートである。
【符号の説明】
Ａ・・・一次熱交換器
Ｂ・・・二次熱交換器
Ｃ・・・蓄圧槽
Ｄ・・・タービン
Ｅ・・・変速機
Ｆ・・・動力嵌脱装置
Ｇ・・・動力伝達装置
Ｈ・・・機関動力軸
Ｉ・・・膨張槽
Ｊ・・・軸受
Ｋ・・・循環ポンプ
Ｌ・・・流量制御弁
Ｍ・・・冷却器
▲１▼・・・機関冷却液入口
▲２▼・・・機関冷却液出口
▲３▼・・・機関排気ガス入口
▲４▼・・・機関排気ガス出口
▲５▼・・・加熱管
▲６▼・・・循環管
▲７▼・・・バイパス管
▲８▼・・・被加熱流体
【図１】
2008169823.tif 000003